(57)【要約】【課題】  銀溶液発生装置を洗濯機本体の構造的な変更なしで本体に設置することができるうえ、この銀溶液発生装置をよりコンパクトにし且つ銀溶液発生装置の水密構造を向上させることが可能な、銀溶液発生装置付き洗濯機を提供すること。【解決手段】  入口ポートを備えるように本体に設けられる給水案内部材と、銀溶液を発生させるように入口ポートと出口ポートを備える銀溶液発生装置と、前記本体の外部から前記本体の内部へ供給される水の給水を制御し、出口ポートを備える給水弁組立体とを含む洗濯機において、前記銀溶液発生装置は、前記給水弁組立体と前記給水案内部材との間に着脱可能に結合され、前記給水弁組立体の出口ポートは、前記給水案内部材の入口ポート又は前記銀溶液発生装置の入口ポートに選択的に結合されるように設けられる。【選択図】  図２
2005052627.tif 000002
【特許請求の範囲】
【請求項１】
入口ポートを備えるように本体に設けられる給水案内部材と、銀溶液を発生させるように入口ポートと出口ポートを備える銀溶液発生装置と、前記本体の外部から前記本体の内部へ供給される水の給水を制御し、出口ポートを備える給水弁組立体とを含む洗濯機において、
前記銀溶液発生装置は、前記給水弁組立体と前記給水案内部材との間に着脱可能に結合され、
前記給水弁組立体の出口ポートは、前記給水案内部材の入口ポート又は前記銀溶液発生装置の入口ポートに選択的に結合されるように設けられたことを特徴とする銀溶液発生装置を備えた洗濯機。
【請求項２】
前記給水弁組立体及び銀溶液発生装置の各出口ポートは各下部に設けられ、前記銀溶液発生装置及び前記給水案内部材の各入口ポートは各上部に設けられたことを特徴とする請求項１記載の銀溶液発生装置を備えた洗濯機。
【請求項３】
前記各出口ポートと前記各入口ポートはそれぞれ同一の形状を有するように設けられたことを特徴とする請求項１記載の銀溶液発生装置を備えた洗濯機。
【請求項４】
前記給水案内部材の一側には第１ボス部が設けられ、これに対応する部位の前記銀溶液発生装置には前記第１ボス部に締結される第１締結部が設けられ、前記銀溶液発生装置の一側には第２ボス部が設けられ、これに対応する部位の前記給水弁装置には前記第２ボス部に締結される第２締結部が設けられるが、前記第２締結部は前記銀溶液発生装置の分離時に前記第１ボス部に締結できるように設けられたことを特徴とする請求項１記載の銀溶液発生装置を備えた洗濯機。
【請求項５】
本体の外部から前記本体の内部に連結された複数の給水経路上に設置され、前記本体の内部に給水される水が銀溶液を形成するようにする銀溶液発生装置を備えた洗濯機において、
前記銀溶液発生装置の内部には前記複数の給水経路に対応して複数の給水流路が画設され、その中の一つの流路は水に電気分解されて銀イオンを放出するように内部に銀板が収容される銀溶液流路を形成するが、
前記銀溶液流路は残りの前記給水流路を取り囲むように設けられ、前記残りの給水流路は前記銀溶液発生装置の外部の前記給水経路と直結するように設けられたことを特徴とする請求項１記載の銀溶液発生装置を備えた洗濯機。
【請求項６】
本体の外部から前記本体の内部に連結された給水経路上に設置され、前記本体の内部に給水される水が銀溶液を形成するように、互いに異なる極の電源にそれぞれ連結され且つ水に電気分解されて銀イオンを放出する一対の銀板を含む銀溶液発生装置を備えた洗濯機において、
前記銀溶液発生装置は、前記銀板を内部に収容するケースと、前記銀板がケースの内部に設置されるように前記ケースの上部に設けられる開放部と、
前記銀板の上端を支持し、前記開放部を閉鎖するように両端部に締結される締結部材によって前記ケースに結合される蓋と、
前記蓋の背面縁部を支持するように前記開放部側の前記ケースに設けられた支持部と、前記支持部と蓋との間に設けられるガスケットとをさらに含むが、
前記ガスケットに結合される前記蓋の背面両端の間には、前記蓋の長手方向に沿って前記ガスケット側に延長される漏洩防止リブが設けられたことを特徴とする銀溶液発生装置を備えた洗濯機。
【請求項７】
前記漏洩防止リブの厚さは両端部から中央部に行くほど厚いことを特徴とする請求項６記載の銀溶液発生装置を備えた洗濯機。
【請求項８】
前記一対の銀板は、前記蓋を貫通して前記蓋の上部に所定の長さ延長される電源接続部をそれぞれ備え、前記電源接続部側の前記蓋には凹部が凹設され、前記凹部にはＡＢＳ樹脂が充填されたことを特徴とする請求項６記載の銀溶液発生装置を備えた洗濯機。
【請求項９】
前記ＡＢＳ樹脂は液相状態で前記凹部に充填されて硬化することを特徴とする請求項８記載の銀溶液発生装置を備えた洗濯機。
【発明の詳細な説明】
【技術分野】
【０００１】
本発明は、洗濯機に関し、さらに詳しくは、銀溶液で洗濯物を洗濯することにより殺菌洗濯を可能にした、銀溶液発生装置付き洗濯機に関するものである。
【背景技術】
【０００２】
一般に、洗濯機は、洗剤の化学作用と洗濯水から加えられる衝撃で、衣類に付いている垢を除去する装置であって、給水行程、洗濯行程、排水行程などの過程によって衣類を洗濯する。
【０００３】
このような各行程が行われる間、洗濯機の内部に水を給水するとともに、給水された水を排水するように、洗濯機には給水装置と排水装置が設けられる。
【０００４】
給水装置は、本体の外部から本体の内部への給水を制御し、複数の給水弁からなる給水弁組立体と、給水弁組立体から伝達された水を本体の内部に案内し、内部に洗剤ケースが取り付けられる給水案内部材とを備える。
【０００５】
最近、このような洗濯機としては、給水行程の際に洗濯機の内部へ供給される洗濯水に銀イオンを添加し、銀溶液によって衣類を洗濯することにより、殺菌洗濯を可能にしたものもある。
【０００６】
このような洗濯機の本体には銀溶液発生装置が設けられるが、銀溶液発生装置は、所定の大きさを有するタンクと、タンク内に配置され、電源の陽極線と陰極線にそれぞれ連結される一対の銀板とを備え、給水弁組立体と給水案内部材との間に設けられる。従って、給水行程の際に給水装置によって本体の内部に供給される洗濯水は、本体の内部に供給される前に銀溶液発生装置を通過し、この際、銀イオンが放出されるように銀板に電源を供給することにより、銀溶液状態で本体の内部に供給されて殺菌作用を行う。
【０００７】
ところが、このような洗濯機は、銀溶液供給装置を設置する過程で給水案内部材側の本体の構造的な変更が必須的に要求されるため、既存の洗濯機本体をそのまま使用することができず、銀溶液発生装置を設置するための別途の洗濯機本体を製作しなければならないという問題点をもっている。
【０００８】
また、給水弁組立体と給水案内部材は通常複数の給水経路を形成し、このような給水弁組立体と給水案内部材との間に備えられる銀溶液発生装置も内部に複数の給水流路を形成するように多少大きく設けられるが、このように多少大きい銀溶液発生装置はその取扱い及び設置が容易ではないという問題点を有する。
【０００９】
また、銀溶液発生装置のタンクの上部には、前記銀板が設置されるように開放部が設けられ、前記開放部には、蓋が取り付けられ、銀板の上端には、互いに異なる極の電源に接続されるように蓋の上部に延長される電源接続部が設けられる。このような蓋は別途の部材としてタンクに組み立てられるので水密性の保持が難しく、タンク内部の水はこの蓋と開放部との間及び電源接続部側の蓋から外部に漏れるおそれがある。
【発明の開示】
【発明が解決しようとする課題】
【００１０】
本発明は、かかる問題点を解決するためのもので、その目的は、銀溶液発生装置を洗濯機本体の構造的な変更なしで本体に設置することができるうえ、この銀溶液発生装置をよりコンパクトにし且つ銀溶液発生装置の水密構造を向上させることが可能な、銀溶液発生装置付き洗濯機を提供することにある。
【課題を解決するための手段】
【００１１】
上記目的を達成するために、本発明に係る銀溶液発生装置を備えた洗濯機は、入口ポートを備えるように本体に設けられる給水案内部材と、銀溶液を発生させるように入口ポートと出口ポートを備える銀溶液発生装置と、前記本体の外部から前記本体の内部へ供給される水の給水を制御し、出口ポートを備える給水弁組立体とを含む洗濯機において、前記銀溶液発生装置は、前記給水弁組立体と前記給水案内部材との間に着脱可能に結合され、前記給水弁組立体の出口ポートは、前記給水案内部材の入口ポート又は前記銀溶液発生装置の入口ポートに選択的に結合されるように設けられたことを特徴とする。
【００１２】
また、前記給水弁組立体及び銀溶液発生装置の各出口ポートは直下方に設けられ、前記銀溶液発生装置及び前記給水案内部材の各入口ポートは直上方に設けられたことを特徴とする。
【００１３】
また、前記各出口ポートと前記各入口ポートはそれぞれ同一の形状を有するように設けられたことを特徴とする。
【００１４】
また、前記給水案内部材の一側には第１ボス部が設けられ、これに対応する部位の前記銀溶液発生装置には前記第１ボス部に締結される第１締結部が設けられ、前記銀溶液発生装置の一側には第２ボス部が設けられ、これに対応する部位の前記給水弁装置には前記第２ボス部に締結される第２締結部が設けられるが、前記第２締結部は前記銀溶液発生装置の分離時に前記第１ボス部に締結できるように設けられたことを特徴とする。
【００１５】
また、本体の外部から前記本体の内部に連結された複数の給水経路上に設置され、前記本体の内部に給水される水が銀溶液を形成するようにする銀溶液発生装置を備えた洗濯機において、前記銀溶液発生装置の内部には前記複数の給水経路に対応して複数の給水流路が画設され、その中の一つの流路は水に電気分解されて銀イオンを放出するように内部に銀板が収容される銀溶液流路を形成するが、前記銀溶液流路は残りの前記給水流路を取り囲むように設けられ、前記残りの給水流路は前記銀溶液発生装置の外部の前記給水経路と直結するように設けられたことを特徴とする。
【００１６】
また、本体の外部から前記本体の内部に連結された給水経路上に設置され、前記本体の内部に給水される水が銀溶液を形成するように、互いに異なる極の電源にそれぞれ連結され且つ水に電気分解されて銀イオンを放出する一対の銀板を含む銀溶液発生装置を備えた洗濯機において、前記銀溶液発生装置は、前記銀板を内部に収容するケースと、前記銀板がケースの内部に設置されるように前記ケースの上部に設けられる開放部と、前記銀板の上端を支持し、前記開放部を閉鎖するように両端部に締結される締結部材によって前記ケースに結合される蓋と、前記蓋の背面縁部を支持するように前記開放部側の前記ケースに設けられた支持部と、前記支持部と蓋との間に設けられるガスケットとをさらに含むが、前記ガスケットに結合される前記蓋の背面両端の間には、前記蓋の長手方向に沿って前記
ガスケット側に延長される漏洩防止リブが設けられたことを特徴とする。
【００１７】
また、前記漏洩防止リブの厚さは両端部から中央部に行くほど厚いことを特徴とする請求項６記載の銀溶液発生装置を備えた洗濯機。
【００１８】
また、前記一対の銀板は、前記蓋を貫通して前記蓋の上部に所定の長さ延長される電源接続部をそれぞれ備え、前記電源接続部側の前記蓋には凹部が凹設され、前記凹部にはＡＢＳ(Acrylonitrile Butadiene Styrene)樹脂が充填されたことを特徴とする。
【００１９】
また、前記ＡＢＳ樹脂は液相状態で前記凹部に充填されて硬化することを特徴とする。
特徴とする。
【発明の効果】
【００２０】
本発明に係る銀溶液発生装置を備えた洗濯機は、銀溶液発生装置が給水弁組立体と給水案内部材との間に着脱可能に結合され、給水弁組立体の出口ポートに銀溶液発生装置の入口ポート又は給水案内部材の入口ポートが選択的に結合されるように設けられ、本体の構造的な変更なしで銀溶液供給装置を設置することができる。
【００２１】
また、本発明において、銀溶液発生装置の内部に設けられた複数の給水流路のうち、銀溶液流路を除いた残りの流路は銀溶液発生装置の外部給水経路に直結されるように、銀溶液流路は残りの給水流路を取り囲むように設けられることにより、銀溶液発生装置をよりコンパクトにすることができる。
【００２２】
また、本発明において、銀溶液発生装置は、銀板が設置されるようにケースの上側の開放部を覆う蓋に水密構造を設けることにより、ケース内の水がケースの外部に漏れることを防止する。
【発明を実施するための最良の形態】
【００２３】
以下、本発明の好適な一実施例を添付図に基づいて詳細に説明する。
【００２４】
本発明に係る洗濯機は、図１に示すように、外形を成す本体１を備え、本体１の内部には洗濯水の溜水を行うための水槽（図示せず）と、水槽の内部に回転可能に設置される回転槽２とが備えられる。また、回転槽２の内部下側には洗濯水流を形成するためのパルセーター（図示せず）が取り付けられ、水槽の外部下側には回転槽２とパルセーターを駆動させるための駆動部（図示せず）及び本体１の外部へ洗濯水を排水させる排水装置（図示せず）が設けられる。
【００２５】
本体１の上部中央には洗濯物の出入りのための開口部３が設けられ、このような開口部３を開閉するように開口部３側の本体１の上部には中央カバー４が取り付けられる。また、本体１の上部前側には、洗濯機の動作を制御するように多数の操作ボタンを有するコントロールパネル５が設けられ、本体１の上部後側には、外部から本体１の内部へ洗濯水を供給するための給水装置６が設けられる。
【００２６】
給水装置６は、本体１の外部から本体１の内部へ供給される給水を制御するように、後述する複数の給水弁１２、１４からなる給水弁組立体１０と、給水弁組立体１０から供給される水を本体１の内部へ案内する給水案内部材２０とを備える。また、このような給水装置６が設置されるように、本体１の上部後側には装着部７が凹設され、給水装置６が装着部７に装着された状態で外部に露出しないように、装着部７には後部カバー８が取り付けられる。
【００２７】
図２に示すように、給水弁組立体１０は、外部の温水供給管１１に連結され、給水弁組立体１０の左側に一つの出口ポート１０ａを備える温水給水弁１２と、外部の冷水供給管１３に連結され、給水弁組立体１０の中央と右側に２つの出口ポート１０ｂ、１０ｃを備える冷水給水弁１４とから構成される。また、給水弁組立体１０には、各給水弁１２、１４の開閉を調節するとともに、冷水供給管１３を通して冷水給水弁１４に伝達された冷水を２つの出口ポート１０ｂ、１０ｃのいずれか一つに選択的に供給させるための複数のソレノイド１５を備える。
【００２８】
給水案内部材２０は、前面が本体１の内部と連通するように、前記装着部７に設置され、その内部には洗剤ケース３０が本体１の内部から挿入される。洗剤ケース３０は上部開放式の引出し状を有し、その内部空間には洗剤とリンスを区分して収容するための洗剤収容部３１とリンス収容部３２が画成される。このような構成は、洗濯動作が行われる場合には、洗剤収容部３１側への給水が行われて洗剤入りの洗濯水が本体１の内部に供給されるようにし、濯ぎ動作が行われる場合には、リンス収容部３２側への給水が行われて洗濯水と共にリンスが本体１の内部に供給されるようにしたものである。また、給水案内部材２０の上部外面には、給水弁組立体１０の各出口ポート１０ａ、１０ｂ、１０ｃに対応する３つの入口ポート２１、２２、２３が設けられる。
【００２９】
また、給水装置６は、給水弁組立体１０と給水案内部材２０との間に設けられる銀溶液発生装置４０を含む。このような銀溶液発生装置４０は、給水弁組立体１０を介して内部に伝達された水に銀を電気分解して銀溶液を形成し、この銀溶液を給水案内部材２０内に案内して本体１０の内部へ供給することにより、本体１内の洗濯物が銀溶液によって殺菌洗濯されるようにする。
【００３０】
銀溶液発生装置４０は外形を成すケース５０を備え、このケース５０の内部には、給水弁組立体１０の各出口ポート１０ａ、１０ｂ、１０ｃと給水案内部材２０の各入口ポート２１、２２、２３をそれぞれ連結して給水経路を形成し、３つの給水流路５４、５５、５６が画成される。その中の一つの給水流路は、銀溶液流路５５を形成し、この銀溶液流路５５には水に電気分解されて銀イオンを放出するように銀板５３が設置される。このような銀板５３及び銀溶液流路５５の構成は後述する銀溶液発生装置４０の構造においてより詳細に説明する。
【００３１】
また、給水弁組立体１０からケース５０の内部へ伝達される水が複数の給水流路５４、５５、５６にそれぞれ伝達されるように、ケース５０の上部には給水弁組立体１０の各出口ポート１０ａ、１０ｂ、１０ｃに対応する入口ポート５２ａ、５２ｂ、５２ｃが設けられ、ケース５０の下部にはケース５０内の各給水流路５４、５５、５６の水が給水案内部材２０の内部に伝達されるように給水案内部材２０の各入口ポート２１、２２、２３に対応する出口ポート５１ａ、５１ｂ、５１ｃが設けられる。
【００３２】
また、銀溶液発生装置４０は給水弁組立体１０と給水案内部材２０との間に着脱可能に結合され、給水弁組立体１０の出口ポート１０ａ、１０ｂ、１０ｃは銀溶液発生装置４０の分離及び結合の際に給水案内部材２０の入口ポート２１、２２、２３又は銀溶液発生装置４０の入口ポート５２ａ、５２ｂ、５２ｃに選択的に結合されるように設けられる。
【００３３】
このような構成は、図３に示すように、銀溶液発生装置４０が分離された状態で、給水弁組立体１０が給水案内部材２０に直に結合できるようにする。従って、銀溶液発生装置４０を設置しようとする場合には、洗濯機本体１の構造的な変更なしで給水弁組立体１０と給水案内部材２０との間に銀溶液発生装置４０を簡単に設置すれば済む。また、銀溶液発生装置４０の設置によって別の本体１を製作する必要がなくなる。
【００３４】
このため、前記給水弁組立体１０、銀溶液発生装置４０及び給水案内部材２０が同一の方向に積層され且つ相互結合されるように、給水弁組立体１０及び銀溶液発生装置４０の各出口ポート１０ａ、１０ｂ、１０ｃ、５１ａ、５１ｂ、５１ｃは各下部に設けられ、銀溶液発生装置４０及び給水案内部材２０の各入口ポート５２ａ、５２ｂ、５２ｃ、２１、２２、２３は各上部に設けられる。また、銀溶液発生装置４０の分離及び結合の際、各出口ポート１０ａ、１０ｂ、１０ｃ、５１ａ、５１ｂ、５１ｃと入口ポート５２ａ、５２ｂ、５２ｃ、２１、２２、２３間の正確な結合のために、給水弁組立体１０と銀溶液発生装置４０の各出口ポート１０ａ、１０ｂ、１０ｃ、５１ａ、５１ｂ、５１ｃは同一の形状を有するように設けられ、銀溶液発生装置４０と給水案内部材２０の各入口ポート５２ａ、５２ｂ、５２ｃ、２１、２２、２３も同一の形状を有するように設けられる。
【００３５】
また、銀溶液発生装置４０の結合の際、給水装置６を成す各構成がより堅固に締結されるように、給水案内部材２０の入口ポート２１、２２、２３の周辺には第１ボス部２４が設けられ、これに対応する部位の銀溶液発生装置４０には、第１ボス部２４に締結部材で締結されるように締結ホール５８ａ付き第１締結部５８が設けられ、また銀溶液発生装置４０の入口ポート５２ａ、５２ｂ、５２ｃの周辺には第２ボス部５９が設けられ、これに対応する部位の給水弁組立体１０には第２ボス部５９に締結部材で締結されるように締結孔１６ａ付き第２締結部１６が設けられる。そして、銀溶液発生装置４０が分離され、給水弁組立体１０が直接給水案内部材２０に結合される場合でも、これら間の結合が堅固に保たれるように、給水弁組立体１０の第２締結部１６は給水案内部材２０の第１ボス部２４に結合可能に設けられる。
【００３６】
一方、図４及び図５に示すように、銀溶液発生装置４０の外形を成す前記ケース５０は、上部が開放され、底部に前記出口ポート５１ａ、５１ｂ、５１ｃが設けられた下部ケース５１と、下部ケース５１の開放された上部を覆うように下部ケース５１に結合され、前記入口ポート５２ａ、５２ｂ、５２ｃが設けられた上部ケース５２とからなる。
【００３７】
また、ケース５０の内部には複数の仕切部５７が設けられ、これらの仕切部によってケース５０の内部には前記複数の給水流路５４、５５、５６が設けられ、その中の一つの流路が銀溶液流路５５を形成する。そして、このような銀溶液流路５５には、水に電気分解されて銀イオンを放出するように、互いに異なる極の電源にそれぞれ連結され且つ互いに離れて配置される一対の銀板５３が設置される。このような銀溶液流路５５及び銀板５３を介して給水弁組立体１０からケース５０の内部に流入した水は、銀板５３を経由して銀溶液になって給水案内部材２０へ流出される。
【００３８】
また、前記ケース５０の内部に設けられる複数の給水流路５４、５５、５６のうち、銀溶液流路５５を除いた残りの給水流路５４、５６は、銀溶液発生装置４０の各出口ポート５１ａ、５１ｂ、５１ｃ及び入口ポート５２ａ、５２ｂ、５２ｃの長手方向に沿って各出口ポート５１ａ、５１ｂ、５１ｃ及び入口ポート５２ａ、５２ｂ、５２ｃと直結されるように設けられ、銀溶液流路５５はこのような残りの給水流路５４、５５に密着した状態でこれらを取り囲むように設けられる。これは銀板５３を設置するための空間を確保するように所定の長さで設けられる銀溶液流路５５に比べて、空間確保を必要としない残りの給水流路５４、５６の長さを減らすと同時に、銀溶液流路５５と残りの給水流路５４、５６との間隔を無くして銀溶液発生装置４０をよりコンパクトにするためである。ここで、銀溶液流路５５は、給水弁組立体１０の冷水給水弁１４の冷水が供給されるように、給水弁組立体１０の中央部の出口ポート１０ｂと連通させるが、これは、水が電気分解されるとき、銀板５３が温水より冷水に溶解される程度が小さいためである。
【００３９】
一方、本発明に係る銀溶液発生装置４０には、ケース５０内の水が外部に漏れることを防止するための水密構造が設けられるが、以下、このような銀溶液発生装置４０の水密構造について説明する。
【００４０】
まず、相互結合によってケースを成す上部ケース５２と下部ケース５１は、熱による融着によって結合され、ケース５０内の水が上部ケース５２と下部ケース５１との結合部から外部に漏れることを防止する。
【００４１】
そして、銀溶液流路５５上に設置される銀板５３は、上部ケース５２を介して銀溶液流路５５に設置され、この銀板５３の挿入のために上部ケース５２の上部には開放部５９ａが設けられ、この開放部５９ａ側の上部ケース５２には２つの銀板５３を離隔状態で支持すると同時に開放部５９ａを覆うように蓋６０が設けられる。
【００４２】
また、開放部５９ａ側のケース５０には蓋６０の背面縁部を支持するための支持部５９が設けられ、支持部５９と蓋６０との間には支持部５９の形状に対応するガスケット７０が設けられ、蓋６０と支持部５９との間からケース５０内の水が外部に漏れることを防止する。
【００４３】
また、蓋６０は両端部に締結される締結部材によって支持部５９に締結されるが、ここで、蓋６０の背面両端の間には蓋６０の長手方向に沿ってガスケット７０側に延長される漏洩防止リブ６１が設けられ、その漏洩防止リブ６１は両端部から中央部に行くほどその厚さが増加するように設けられる。これは、締結部材が蓋６０の両端部側に締結されるだけ、両端部に比べて締結力が低下する蓋６０の中央部が、締結部材の締結時、図６に示すようにガスケット７０を加圧し且つより支持部５９側に密着するようにして、蓋６０の水密性をさらに向上させたものである。
【００４４】
また、一対の銀板５３は、電源の互いに異なる極がそれぞれ接続されるように、各上端部には前記蓋６０を貫通して蓋６０の上部に所定の長さ延長される電源接続部５３ａが設けられるが、ケース５０内の水が前記電源接続部５３ａ側の蓋６０から外部に漏れることを防止するように、電源接続部５３ａ側の蓋６０には凹部６が所定の深さに凹設され、この凹部６２には耐衝撃熱可塑性樹脂の一種であるＡＢＳ(Acrylonitrile Butadiene Styrene)樹脂６３が充填される。この際、ＡＢＳ樹脂６３は液相状態で凹部６２に充填された後硬化して電源接続部５３ａ側の蓋６０の周辺を密閉させる。
【００４５】
次に、このように構成された本発明に係る洗濯機の動作及び作用効果を詳細に説明する。
【００４６】
まず、給水案内部材２０の上部に給水弁組立体１０が直結された状態で銀溶液発生装置４０を組み立てようとする場合、第１ボス部２４と第２締結部１６に締結された締結部材を除去して給水弁組立体１０を給水案内部材２０から分離させる。
【００４７】
この状態で給水案内部材２０の入口ポート２１、２２、２３に銀溶液発生装置４０の出口ポート５１ａ、５１ｂ、５１ｃを結合させ、締結部材を用いて第１ボス部２４に第１締結部５８を締結させて給水案内部材２０の上部に銀溶液発生装置４０を組み立てる。その後、給水弁組立体１０の出口ポート１０ａ、１０ｂ、１０ｃを銀溶液発生装置４０の入口ポート５２ａ、５２ｂ、５２ｃに結合させ、締結部材を用いて第２ボス部５９に第２締結部１６を締結させると、銀溶液発生装置４０の上部に給水弁組立体１０が組み立てられて銀溶液発生装置４０の組立が完了する。
【００４８】
このように本発明に係る洗濯機は、銀溶液発生装置４０が給水弁組立体１０と給水案内部材２０との間に着脱可能に結合され、給水弁組立体１０の出口ポート１０ａ、１０ｂ、１０ｃに銀溶液発生装置４０の入口ポート５２ａ、５２ｂ、５２ｃ又は給水案内部材２０の入口ポート２１、２２、２３が選択的に結合されるように設けられ、本体１の構造的な変更なしに銀溶液供給装置４０を設置することができる。
【００４９】
この状態で温水を用いて洗濯を行うと、温水給水弁１２が開いて温水が給水される。この際、給水される水は、温水給水弁１２に連通している銀溶液発生装置４０の一側流路５４を介して給水案内部材２０内の洗剤ケース３０の洗剤収容部３１に流入されて洗剤を溶解させながら本体１の内部へ供給される。
【００５０】
また、冷水を用いた洗濯を行うと、冷水給水弁１４が開いて冷水が給水される。この際、給水される水は、冷水給水弁１４側のソレノイド１５の動作によって銀溶液発生装置４０の銀溶液流路５５を通して給水案内部材２０内の洗剤ケース３０の洗剤収容部３１に流入されることにより、洗剤を溶解させながら本体１の内部へ供給される。
【００５１】
また、このような冷水の供給が行われる際、銀溶液発生装置４０の一対の銀板５３にそれぞれ陽極と陰極の直流電源が印加されると、銀溶液流路５５を通過する水に銀板５３が電気分解されて銀溶液が形成され、このような銀溶液が本体１の内部へ供給されて殺菌作用を行う。
【００５２】
この際、蓋６０に設けられた漏洩防止リブ６１と凹部６２に充填されたＡＢＳ樹脂６３とによって、ケース５０内の水が蓋６０から外部に漏れることを防止する。
【図面の簡単な説明】
【００５３】
【図１】本発明に係る洗濯機の全体的な構造を示す斜視図である。
【図２】図１に示した洗濯機の給水装置の全体的な構造を示す分解斜視図である。
【図３】図１に示した洗濯機の給水装置から銀溶液発生装置を分離した状態を示す分解斜視図である。
【図４】図１に示した洗濯機の銀溶液発生装置の構造を示す分解斜視図である。
【図５】図１に示した洗濯機の銀溶液発生装置の構造を示す斜視図である。
【図６】図１に示した洗濯機の銀溶液発生装置の一部を切開して示す斜視図である。
【符号の説明】
【００５４】
１  本体
２  回転槽
３  開口部
４  中央カバー
５  コントロールパネル
６  給水装置
７  装着部
８  後部カバー
１０  給水弁組立体
１０ａ、１０ｂ、１０ｃ  出口ポート
１１  温水供給管
１２、１４  給水弁
１３  冷水供給管
１５  ソレノイド
１６  第２締結部
１６ａ  締結孔
２０  給水案内部材
２１、２２、２３  入口ポート
２４  第１ボス部
３０  洗剤ケース
３１  洗剤収容部
３２  リンス収容部
４０  銀溶液発生装置
５０  ケース
５１  下部ケース
５１ａ、５１ｂ、５１ｃ  出口ポート
５２  上部ケース
５２ａ、５２ｂ、５２ｃ  入口ポート
５３  銀板
５３ａ  電源接続部
５４、５５、５６  給水流路
５７  仕切部
５８  第１締結部
５８ａ  締結ホール
５９  第２ボス部
５９ａ  開放部
６０  蓋
６１  漏洩防止リブ
６２  凹部
６３  ＡＢＳ樹脂
７０  ガスケット
【図１】
2005052627.tif 000003
【図２】
2005052627.tif 000004
【図３】
2005052627.tif 000005
【図４】
2005052627.tif 000006
【図５】
2005052627.tif 000007
【図６】
2005052627.tif 000008